(57)【要約】      （修正有）【課題】自叙伝内容の伝達性に優れた映像自叙伝サービスの提供方法及び提供システムを提供する。【解決手段】ユーザ端末１００が通信網を介してサービス提供サーバに２００接続して映像自叙伝の製作を要請する第１のステップと、サービス提供サーバ２００がユーザ端末１００にユーザ情報資料の入力を要請する第２のステップと、ユーザ端末１００がユーザにより入力されたユーザ情報資料をサービス提供サーバ２００に伝送する第３のステップと、サービス提供サーバ２００がユーザ情報資料を時代別に格納されたコンテンツＤＢ２５０とマッチングさせて映像自叙伝製作資料を選別した後に映像自叙伝を生成する第４のステップと、を含む。【選択図】図１
2016115326.tif 000002
【特許請求の範囲】
【請求項１】
ユーザ端末が通信網を介してサービス提供サーバに接続して映像自叙伝の製作を要請する第１のステップと、
前記サービス提供サーバがユーザ端末にユーザ情報資料の入力を要請する第２のステップと、
前記ユーザ端末がユーザにより入力されたユーザ情報資料を前記サービス提供サーバに伝送する第３のステップと、
前記サービス提供サーバがユーザ情報資料を時代別に格納されたコンテンツＤＢとマッチングさせて映像自叙伝製作資料を選別した後に映像自叙伝を生成する第４のステップと、
を含むことを特徴とする映像自叙伝サービス提供方法。
【請求項２】
前記第４のステップにおいて、
前記サービス提供サーバがユーザ情報資料に対するファイル生成日及びキーワードを取り出す第４ａのステップと、
前記サービス提供サーバがコンテンツＤＢから前記ファイル生成日及びキーワードとマッチングされる資料を映像自叙伝製作資料として選別する第４ｂのステップと、
を含むことを特徴とする請求項１に記載の映像自叙伝サービス提供方法。
【請求項３】
前記第４ａのステップ前に、
前記サービス提供サーバがユーザ情報資料のうち身上情報を用いて前記コンテンツＤＢに含まれている人物ＤＢとマッチングさせて前記人物ＤＢとのマッチングが行われた場合、前記コンテンツＤＢのうち記事ＤＢ、写真ＤＢ、映像ＤＢ、音楽ＤＢから当該ユーザと関連する資料を自動的に選別するが、
前記第４ｂのステップにおいて、前記サービス提供サーバが選別された記事ＤＢ、写真ＤＢ、映像ＤＢ、音楽ＤＢから前記ファイル生成日及びキーワードとマッチングされる資料を映像自叙伝製作資料として選別することを特徴とする請求項２に記載の映像自叙伝サービス提供方法。
【請求項４】
前記第４のステップにおいて、
前記サービス提供サーバが選別された映像自叙伝製作資料を時代順に並べた後に映像自叙伝を生成することを特徴とする請求項１に記載の映像自叙伝サービス提供方法。
【請求項５】
前記第４のステップ後に、
前記サービス提供サーバが映像自叙伝を移動式格納媒体であるＵＳＢメモリに伝送する第５のステップと、
前記移動式格納媒体が映像自叙伝にＤＲＭ情報を結合した後に格納する第６のステップと、
をさらに含むことを特徴とする請求項１に記載の映像自叙伝サービス提供方法。
【請求項６】
ユーザが所持しているユーザ端末と、
前記ユーザ端末の映像自叙伝製作の要請に応じて通信網を介して前記ユーザ端末にユーザ情報資料の入力を要請してこれを受け取る入出力モジュールと、人物ＤＢ、記事ＤＢ、写真ＤＢ、映像ＤＢ、音楽ＤＢが時代別に格納されたコンテンツＤＢと、前記ユーザ情報資料とコンテンツＤＢをマッチングさせて映像自叙伝製作資料を選別する資料マッチングモジュールと、前記映像自叙伝製作資料を用いて映像自叙伝を生成する自叙伝映像生成モジュールと、を有するサービス提供サーバと、
を備えることを特徴とする映像自叙伝サービス提供システム。
【請求項７】
前記サービス提供サーバは、ユーザ情報資料に対するファイル生成日及びキーワードを取り出す資料分析モジュールをさらに備えるが、
前記資料マッチングモジュールは、コンテンツＤＢから前記ファイル生成日及びキーワードとマッチングされる資料を映像自叙伝製作資料として選別することを特徴とする請求項６に記載の映像自叙伝サービス提供システム。
【請求項８】
前記資料マッチングモジュールは、ユーザ情報資料のうち身上情報を用いて前記コンテンツＤＢに含まれている人物ＤＢとマッチングさせて前記人物ＤＢとのマッチングが行われた場合、前記コンテンツＤＢのうち記事ＤＢ、写真ＤＢ、映像ＤＢ、音楽ＤＢから当該ユーザと関連する資料を自動的に選別して前記ファイル生成日及びキーワードとマッチングされる資料を映像自叙伝製作資料として選別することを特徴とする請求項７に記載の映像自叙伝サービス提供システム。
【請求項９】
前記自叙伝映像生成モジュールは、選別された映像自叙伝製作資料を時代順に並べた後に映像自叙伝を生成することを特徴とする請求項６に記載の映像自叙伝サービス提供システム。
【請求項１０】
前記入出力モジュールとデータを授受する移動式格納媒体をさらに備えるが、
前記移動式格納媒体は、受け取った映像自叙伝にＤＲＭ情報を結合するＤＲＭ結合モジュールと、前記ＤＲＭ情報が結合された映像自叙伝を格納する映像自叙伝格納モジュールと、を備えることを特徴とする請求項６に記載の映像自叙伝サービス提供システム。
【請求項１１】
前記移動式格納媒体は、ユニバーサル・シリアル・バス（ＵＳＢ）メモリであることを特徴とする請求項１０に記載の映像自叙伝サービス提供システム。
【発明の詳細な説明】
【技術分野】
【０００１】
本発明は、映像自叙伝サービス提供方法及び提供システムに係り、特に、時代別に豊富でありながらも事実的な資料が活用可能であり、しかも、配布しやすい映像自叙伝サービス提供方法及び提供システムに関する。
【背景技術】
【０００２】
一般に、自叙伝とは、自分の生涯に関する荒筋を有する自己陳述形式の記録物のことをいい、自分が言う一体の全ての資料、日記、書簡などを含む広義の概念をいう場合もある。
【０００３】
このような自叙伝は、作成した者の精神的な成長と遍歴をうかがうことができ、他の者に生活のガイドラインとなっているため、従来の自叙伝を作成する者は、成功した企業家、政治人、芸能人など有名人が主流になっており、主として冊子タイプに製作されている。
【０００４】
最近には、上記のような有名人はもちろん、一般人も自分の一代記を残して自分だけの思い出を保管したり自分の知り合いに配布したりするなど大勢の人々が自叙伝を製作し始めた。しかしながら、一般人が自叙伝を自ら作成することは非常に困難であり、これを作成するのに多大な時間とコストがかかるという問題がある。
【０００５】
これを解消するために、自叙伝を手軽に製作する方法が提案されている（例えば、下記の特許文献１参照、以下、「引用発明」と称する。）。
【０００６】
前記引用発明は、有無線通信端末を用いて個人の人生旅程を日記、電子アルバムなど様々な形式でサーバに格納して時間や場所とは無関係に事実を記録することにより、自叙伝を手軽に製作することができるというメリットがあるが、個人が入力した資料に限定があるため、資料があまりない場合に自叙伝が正常に製作され難く、その時代の状況が反映されないが故にユーザがどのような意図をもって資料を入力したかを把握することが困難であるという問題がある。
【先行技術文献】
【特許文献】
【０００７】
【特許文献１】大韓民国登録特許第１０−０３４４００８号
【発明の概要】
【発明が解決しようとする課題】
【０００８】
本発明は、上記の問題を解消するために案出されたものであり、その目的は、時代別に豊富でありながらも事実的な資料を活用してユーザが提供した資料を補完／補充することにより、豊富でありながらもユーザの時代的な状況／意図を把握することができ、しかも、移動式格納媒体を介して配布しやすい映像自叙伝サービス提供方法及び提供システムを提供するところにある。
【課題を解決するための手段】
【０００９】
上記の目的を達成するために、本発明による映像自叙伝サービス提供方法は、ユーザ端末が通信網を介してサービス提供サーバに接続して映像自叙伝の製作を要請する第１のステップと、前記サービス提供サーバがユーザ端末にユーザ情報資料の入力を要請する第２のステップと、前記ユーザ端末がユーザにより入力されたユーザ情報資料を前記サービス提供サーバに伝送する第３のステップと、前記サービス提供サーバがユーザ情報資料を時代別に格納されたコンテンツＤＢとマッチングさせて映像自叙伝製作資料を選別した後に映像自叙伝を生成する第４のステップと、を含むことを特徴とする。
【００１０】
また、上記の目的を達成するために、本発明による映像自叙伝サービス提供システムは、ユーザが所持しているユーザ端末と、前記ユーザ端末の映像自叙伝製作の要請に応じて通信網を介して前記ユーザ端末にユーザ情報資料の入力を要請してこれを受け取る入出力モジュールと、人物ＤＢ、記事ＤＢ、写真ＤＢ、映像ＤＢ、音楽ＤＢが時代別に格納されたコンテンツＤＢと、前記ユーザ情報資料とコンテンツＤＢをマッチングさせて映像自叙伝製作資料を選別する資料マッチングモジュールと、前記映像自叙伝製作資料を用いて映像自叙伝を生成する自叙伝映像生成モジュールと、を有するサービス提供サーバと、を備えることを特徴とする。
【発明の効果】
【００１１】
本発明によれば、ユーザにより映像自叙伝の製作のために入力されたユーザ情報資料を時代別に格納されたコンテンツＤＢとマッチングさせて映像自叙伝製作資料を選別するが、ユーザが提供した資料があまりない場合であっても、時代別に豊富でありながらも事実的な資料を構築することができ、ユーザがどのような時代にどのような意図をもって当該資料を残したかが把握可能な映像自叙伝を製作することができる。
【００１２】
また、本発明は、自叙伝を冊子ではなく映像として製作するが、これを見る者も文字で接する場合よりも手軽にユーザの一代記を把握することができ、さらに、移動式格納媒体、特に、ユニバーサル・シリアル・バス（ＵＳＢ）メモリを活用して格納／管理／配布しやすい映像自叙伝を製作することができる。
【図面の簡単な説明】
【００１３】
【図１】本発明による映像自叙伝サービス提供システムを示す構成図である。
【図２】本発明による映像自叙伝サービス提供システムに適用されるコンテンツＤＢを示す構成図である。
【図３】本発明による映像自叙伝サービス提供システムに適用されるＤＲＭ結合モジュールを示す構成図である。
【図４】本発明による映像自叙伝サービス提供方法を示すフローチャートである。
【図５】本発明による映像自叙伝サービス提供方法におけるコンテンツＤＢとのマッチング過程と映像自叙伝の生成過程を示すフローチャートである。
【発明を実施するための形態】
【００１４】
本発明は、映像自叙伝サービス提供方法及び提供システムに関するものであり、特に、時代別に豊富でありながらも事実的な資料を活用してユーザが提供した資料を補完／補充することにより、豊富でありながらもユーザの時代的な状況／意図を把握することができ、しかも、配布しやすいようにユーザ端末が通信網を介してサービス提供サーバに接続して映像自叙伝製作を要請する第１のステップと、前記サービス提供サーバがユーザ端末にユーザ情報資料の入力を要請する第２のステップと、前記ユーザ端末がユーザにより入力されたユーザ情報資料を前記サービス提供サーバに伝送する第３のステップと、前記サービス提供サーバがユーザ情報資料を時代別に格納されたコンテンツＤＢとマッチングさせて映像自叙伝製作資料を選別した後に映像自叙伝を生成する第４のステップと、を含むことを特徴とする映像自叙伝サービス提供方法を提案する。
【００１５】
また、ユーザが所持しているユーザ端末と、前記ユーザ端末の映像自叙伝製作の要請に応じて通信網を介して前記ユーザ端末にユーザ情報資料の入力を要請してこれを受け取る入出力モジュールと、人物ＤＢ、記事ＤＢ、写真ＤＢ、映像ＤＢ、音楽ＤＢが時代別に格納されたコンテンツＤＢと、前記ユーザ情報資料とコンテンツＤＢをマッチングさせて映像自叙伝製作資料を選別する資料マッチングモジュールと、前記映像自叙伝製作資料を用いて映像自叙伝を生成する自叙伝映像生成モジュールと、を有するサービス提供サーバと、を備えることを特徴とする映像自叙伝サービス提供システムを提案する。
【００１６】
本発明の権利範囲は以下において説明する実施形態に限定されるものではなく、本発明の技術的要旨を逸脱しない範囲内において当該技術分野の通常の知識を有する者により種々に変形されて実施可能である。
【００１７】
以下、本発明による映像自叙伝サービス提供方法及び提供システムについて、添付図面の図１から図５に基づいて詳細に説明する。なお、以下において本発明を説明するに当たって、関連する公知の機能又は構成に関する具体的な説明が本発明の要旨を余計に曖昧にする虞があると認められる場合にはその詳細な説明を省略する。
【００１８】
本明細書において、ある構成要素が他の構成要素にデータ又は信号を「伝送」又は「提供」する場合には、ある構成要素は他の構成要素に直接的に前記データ又は信号を伝送してもよく、少なくとも一つの他の構成要素を介してデータ又は信号を他の構成要素に伝送してもよいことを意味する。
【００１９】
また、以下の説明において、「サーバ」とは、ユーザがコンテンツを利用するために接続するサーバコンピュータを意味し、容量が小さいか、あるいは、利用者数が少ない場合、一つのサーバに多数のプログラムが運営され得る。なお、容量が非常に大きいか、あるいは、リアルタイム接続人数が多い場合、サーバの機能に応じて一つのシステムの運営のためのサーバが一つ以上存在し得る。
【００２０】
さらに、本明細書における「サーバ」には、それぞれのデータベースに対応する情報を格納するソフトウェア及びハードウェアの機能的・構造的な結合を意味するＤＢが含まれていてもよく、ＤＢは少なくとも一つのテーブルにより実現されてもよく、データベースに格納された情報を検索、格納及び管理するための別途のＤＢＭＳ（Ｄａｔａｂａｓｅ  Ｍａｎａｇｅｍｅｎｔ  Ｓｙｓｔｅｍ）をさらに備えていてもよい。なお、リンクドリスト（ｌｉｎｋｅｄ−ｌｉｓｔ）、木（Ｔｒｅｅ）、関係型データベースの形式など様々な方式により実現可能であり、データベースに対応する情報が格納可能なあらゆるデータ格納媒体及びデータ構造を含む。
【００２１】
図１は、本発明による映像自叙伝サービス提供システムを示す構成図である。図１を参照すると、映像自叙伝サービス提供システムは、ユーザ端末１００及びサービス提供サーバ２００を備え、移動式格納媒体３００をさらに備えていてもよい。
【００２２】
前記ユーザ端末１００は、映像自叙伝の製作を依頼するユーザが所持している端末であり、通信網を介してサービス提供サーバ２００とデータを授受する。ユーザは、自分の映像自叙伝の製作を依頼してもよく、他人の映像自叙伝の製作を依頼してもよい。前記ユーザ端末１００は、映像自叙伝製作の要請に際してサービス提供サーバ２００からの要請に応じてユーザ情報資料を入力してこれを伝送し、前記ユーザ情報資料とは、ユーザの名前、生年月日、経歴などを含む身上情報をはじめとして、ユーザの日記、ユーザが楽しんで聴いた音楽、ユーザの写真、映像などのことをいう。
【００２３】
このようなユーザ端末１００は、有線端末及び無線端末を含む広範な端末を意味するが、ＰＣ（Ｐｅｒｓｏｎａｌ  Ｃｏｍｐｕｔｅｒ）、ＩＰＴＶ（Ｉｎｔｅｒｎｅｔ  Ｐｒｏｔｏｃｏｌ  Ｔｅｌｅｖｉｓｉｏｎ）、ノート型パソコン（Ｎｏｔｅｂｏｏｋ−ｓｉｚｅｄ  ｐｅｒｓｏｎａｌ  ｃｏｍｐｕｔｅｒ）、ＰＤＡ（Ｐｅｒｓｏｎａｌ  Ｄｉｇｉｔａｌ  Ａｓｓｉｓｔａｎｔ）、スマートフォン、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）フォン、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）フォン、ＧＰＲＳ（Ｇｅｎｅｒａｌ  Ｐａｃｋｅｔ  Ｒａｄｉｏ  Ｓｅｒｖｉｃｅ）フォン、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）フォン、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）フォン、ＭＢＳ（Ｍｏｂｉｌｅ  Ｂｒｏａｄｂａｎｄ  Ｓｙｓｔｅｍ）フォンなどを含み、前記ユーザ端末１００には、異なる端末、サーバ及びシステムと音声及び映像を含むデータの送受を行う機能が搭載される。
【００２４】
前記通信網は、大容量、長距離音声及びデータサービスが行える大型通信網の高速基幹網である通信網、インターネット（Ｉｎｔｅｒｎｅｔ）又は高速のマルチメディアサービスを提供するための次世代有線及び無線網であってもよく、近距離無線通信網であってもよい。有無線通信網が移動通信網である場合、同期式移動通信網であってもよく、非同期式移動通信網であってもよい。非同期式移動通信網の一実施形態として、広帯域符号分割多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）方式の通信網が挙げられる。この場合、図示はしないが、有無線通信網は、無線ネットワーク制御装置（ＲＮＣ：Ｒａｄｉｏ  Ｎｅｔｗｏｒｋ  Ｃｏｎｔｒｏｌｌｅｒ）を含む。一方、広帯域符号分割多重アクセス（ＷＣＤＭＡ）網を例として挙げたが、３ＧＬＴＥ網、４Ｇ網など次世代通信網、その他のＩＰに基づくＩＰ網であってもよい。前記通信網は、ユーザ端末１００、サービス提供サーバ２００をはじめとして本発明に含まれているデータベース、その他の端末、機器相互間の信号及びデータの送信を行う役割を果たす。
【００２５】
サービス提供サーバ２００は、ユーザに映像自叙伝サービスを提供するウェブサーバ又はＷＡＰサーバであってもよく、アプリケーションサーバなどあらゆるサーバ及び装置を網羅し、入出力モジュール２１０、資料マッチングモジュール２３０、自叙伝映像生成モジュール２４０、コンテンツＤＢ２５０を備える。
【００２６】
前記入出力モジュール２１０は、ユーザ端末１００に映像自叙伝の主人公に対応するユーザ情報資料入力を要請してこれを受け取る役割を果たし、後述する移動式格納媒体３００とデータを授受する。
【００２７】
前記資料マッチングモジュール２３０は、上述したユーザ情報資料とコンテンツＤＢ２５０をマッチングさせて映像自叙伝製作資料を選別し、マッチングに際してユーザ情報資料とコンテンツＤＢ２５０に共通する事項を中心として映像自叙伝製作資料を優先的に選別する。また、前記ユーザ情報資料があまりなくて前記コンテンツＤＢ２５０とマッチングされる資料が足りない場合、前記ユーザ情報資料に基づいて関連する映像自叙伝製作資料を前記コンテンツＤＢ２５０からさらに選別するが、豊富でありながらも事実的な映像自叙伝を製作することができる。
【００２８】
一方、前記サービス提供サーバ２００は、ユーザ情報資料に対するファイル生成日及びキーワードを取り出す資料分析モジュール２２０をさらに備えていてもよい。前記ユーザ情報資料は、映像自叙伝に含めたい資料であり、日記をはじめとする文句、写真、映像、音楽などを含む。例えば、日記をはじめとする文句、写真、映像の場合、これに対するファイル生成日からどのような時代にこのような文句と写真、映像を残したかを把握することができ、前記ファイル生成日から把握し難いユーザ情報資料は、当該資料に含まれているキーワードを取り出してどのような時代にどのような意図をもって資料を残したかを把握することができる。
【００２９】
前記サービス提供サーバ２００が上記の資料分析モジュール２２０をさらに備える場合、前記資料マッチングモジュール２３０は、前記コンテンツＤＢ２５０から前記ファイル生成日及びキーワードとマッチングされる資料を映像自叙伝製作資料として選別する。これにより、ユーザが映像自叙伝の製作のために提供した資料について理解することができ、前記コンテンツＤＢ２５０からより豊富でありながらも事実的な資料を手軽に取り出すことができる。
【００３０】
一方、図２は、本発明による映像自叙伝サービス提供システムに適用されるコンテンツＤＢ２５０を示す構成図であり、前記コンテンツＤＢ２５０は、図２に示すように、人物ＤＢ２５１、記事ＤＢ２５２、写真ＤＢ２５３、映像ＤＢ２５４、音楽ＤＢ２５５を備え、各ＤＢには時代別にデータが格納される。各ＤＢに含まれるデータは、複数のポータルサイトなどインターネットを介して収集された資料であるか、あるいは、管理者により登録された資料であり、このような資料を時代別に格納することにより、ユーザ情報資料とのマッチングにより時代別に豊富な映像自叙伝製作資料を選別することができ、今後、映像自叙伝の製作に際して時代順に並べ易いという効果が得られる。
【００３１】
特に、前記人物ＤＢ２５１にはポータルサイトなどの人物情報に登載されている者の身上情報が格納されており、前記資料マッチングモジュール２３０は、ユーザ情報資料のうち身上情報を用いて前記コンテンツＤＢ２５０に含まれている人物ＤＢ２５１とマッチングさせることができる。
【００３２】
前記人物ＤＢ２５１とのマッチングが行われた場合、映像自叙伝の製作を要請したユーザは、大勢の人々にある程度認知度があるか、あるいは、よく知られている人物とみなされ、当該ユーザと関連する資料がコンテンツＤＢ２５０に含まれている可能性が高いが、前記資料マッチングモジュール２３０は、前記コンテンツＤＢ２５０のうち記事ＤＢ２５２、写真ＤＢ２５３、映像ＤＢ２５４、音楽ＤＢ２５５から当該ユーザと関連する資料を自動的に選別する。
【００３３】
次いで、前記資料分析モジュール２２０を用いてユーザ情報資料から取り出したファイル生成日及びキーワードを用いて選別された記事ＤＢ２５２、写真ＤＢ２５３、映像ＤＢ２５４、音楽ＤＢ２５５とマッチングされる資料を映像自叙伝製作資料として選別する。当該ユーザと関連する資料が膨大に前記コンテンツＤＢ２５０から自動的に選別された場合、ユーザが重要視する資料を中心として映像自叙伝製作資料を選別することができ、選別された資料が足りない場合、前記ユーザ情報資料に基づいて補充／補完可能な映像自叙伝製作資料を前記コンテンツＤＢ２５０から選別することができる。
【００３４】
一方、ユーザが一般人であるが故に前記人物ＤＢ２５１とのマッチングが行われていない場合、前記資料分析モジュール２２０はユーザ情報資料に対するファイル生成日及びキーワードを取り出し、前記資料マッチングモジュール２３０は前記コンテンツＤＢ２５０のうち記事ＤＢ２５２、写真ＤＢ２５３、映像ＤＢ２５４、音楽ＤＢ２５５から前記ファイル生成日及びキーワードとマッチングされる資料を映像自叙伝製作資料として選別する。
【００３５】
自叙伝映像生成モジュール２４０は、選別された映像自叙伝製作資料を用いて映像自叙伝を生成するが、生成に先立って、選別された映像自叙伝製作資料を時代順に並べる。選別された映像自叙伝製作資料の場合、時代別に格納されたコンテンツＤＢ２５０から取り出された資料であるが、当該資料ごとにその資料が生成された時期が分かるので、手軽に時代順に並べることができ、時代順に並べられた映像自叙伝を提供することができるという効果が得られる。
【００３６】
また、自叙伝映像生成モジュール２４０は、映像自叙伝の生成に際して、前記サービス提供サーバ２００を運営する管理者からナレーション又は／及び字幕が入力されて選別された映像自叙伝製作資料とマッチングさせることができ、選別された映像自叙伝製作資料を映像自叙伝の生成に先立ってユーザ端末１００に伝送して映像自叙伝の製作を依頼したユーザからナレーション又は／及び字幕が入力されて選別された映像自叙伝製作資料とマッチングさせることができる。
【００３７】
一方、ユーザ情報資料として提供された映像には、ユーザ又は／及び知り合いのインタービュー映像、映像手紙などが含まれ、このようなユーザ情報資料は、前記資料マッチングモジュール２３０を介してコンテンツＤＢからマッチングされる資料を検索して補完／補充することができ、前記資料マッチングモジュール２３０を経由せずに前記自叙伝映像生成モジュール２４０に転送される。上記のユーザ情報資料として提供された映像は、前記自叙伝映像生成モジュール２４０がこれをそのまま自叙伝映像に用いることができ、管理者により所定の部分が編集された映像を前記自叙伝映像生成モジュール２４０を介して最終的に製作される映像自叙伝の適切な個所に埋め込んでもよい。
【００３８】
このため、自叙伝映像生成モジュール２４０を介して最終的に製作された映像自叙伝は、時代別に豊富ながらも事実的な資料が反映されているので、これを視聴する者に信頼性を与え、映像自叙伝の製作を依頼したユーザは簡単な資料の提供だけでも完成度高い映像自叙伝を受け取ることが可能になる。
【００３９】
一方、本発明による映像自叙伝サービス提供システムには前記入出力モジュール２１０とデータを授受する移動式格納媒体３００がさらに配設され、前記移動式格納媒体３００は、図１に示すように、前記サービス提供サーバ２００と直接的にデータを授受することができ、前記サービス提供サーバと通信可能なユーザ端末１００又は管理者端末を介して前記サービス提供サーバ２００と間接的にデータを授受することができる。
【００４０】
前記移動式格納媒体３００としてＣＤ、ＤＶＤ、外付けハードディスクなどが使用可能であるが、前記ＣＤ、ＤＶＤ、外付けハードディスクは大きいため携帯性に劣っており、ＣＤ、ＤＶＤは格納されるデータの形式に制限があり、しかも、これを再生する別途の装置を必要とするが、本発明における移動式格納媒体３００は携帯性に優れており、高画質に製作された映像自叙伝が格納可能である他、周りのＴＶやＰＣなどに直接的に又は間接的につないで映像自叙伝を手軽に再生可能なＵＳＢメモリであることが好ましい。
【００４１】
上述したように、前記移動式格納媒体３００としてＵＳＢメモリを用いる場合、ユーザ及びユーザの知り合いなどに映像自叙伝を手軽に配布しやすく、本発明により製作された映像自叙伝は冊子では表現し切れない様々なマルチメディア機能を有しているので、これを視聴する者の没入度を増やす一方、冊子から自叙伝の主人公に対する一代記を理解する場合よりさらに効果的に主人公の一代記を理解することができる。なお、冊子に比べてＵＳＢメモリは顕著に小さいため、保管しやすいという効果も得られる。
【００４２】
一方、個人が所蔵したり知り合いに自分を知らせたりするために用いられる自叙伝の特性からみて、インターネットにおいて音声や映像などをリアルタイムにて再生するストリーミングを用いて不特定多数に配布することは好ましくないため、本発明においては移動式格納媒体３００を採択している。
【００４３】
しかしながら、移動式格納媒体３００のうち映像自叙伝を活用する上で最も効果的なＵＳＢメモリを用いるとしても、自叙伝の主人公であるユーザが不特定多数への自叙伝の販売又は無料配布を希望する場合、前記ＵＳＢメモリから本発明により製作された映像自叙伝が無分別に配布されることを防ぐために、前記移動式格納媒体３００は、製作された映像自叙伝が格納される映像自叙伝格納モジュール３２０と、前記映像自叙伝の複製を防ぐために映像自叙伝にＤＲＭ情報を結合するＤＲＭ結合モジュール３１０と、を備え、映像自叙伝格納モジュール３２０に実質的に格納される映像自叙伝は、ＤＲＭ情報が結合された映像である。
【００４４】
図３は、本発明による映像自叙伝サービス提供システムに適用されるＤＲＭ結合モジュールを示す構成図であり、図３に示すように、前記ＤＲＭ結合モジュール３１０は、映像自叙伝に結合すべきＤＲＭ情報を生成するＤＲＭ情報生成部３１１と、前記ＤＲＭ情報を前記映像自叙伝と同じフォーマットに変換するＤＲＭ情報変換部３１２と、前記映像自叙伝とＤＲＭ情報を合成するＤＲＭ情報合成部３１３と、を備える。
【００４５】
前記ＤＲＭ情報生成部３１１は、上述した映像自叙伝と関連して映像自叙伝の使い方、映像自叙伝を使用するに当たっての制限条件及び暗号化方法、暗号化キー、暗号化キーの長さなどの情報を生成する。
【００４６】
前記ＤＲＭ情報変換部３１２は、前記ＤＲＭ情報生成部３１１において生成されたＤＲＭ情報を前記映像自叙伝と同じフォーマットに変換し、前記ＤＲＭ情報合成部３１３は、前記映像自叙伝と同じフォーマットに変換されたＤＲＭ情報をウォータマーク（透かし）技法を用いて合成してＤＲＭ情報が結合された映像自叙伝を生成する。このため、悪意を持ったユーザが前記ＤＲＭ情報を削除しようとしたり、操作されたＤＲＭ情報で上書きしようとしたりする場合には、合成された原コンテンツそのものが毀損されるか、あるいは、本発明により製作された映像自叙伝再生装置においてＤＲＭ情報を認識できなくなる。
【００４７】
図４は、本発明による映像自叙伝サービス提供方法を示すフローチャートであり、図５は、本発明による映像自叙伝サービス提供方法におけるコンテンツＤＢとのマッチング過程及び映像自叙伝の生成過程を示すフローチャートである。
【００４８】
まず、図４を参照すると、ユーザ端末１００が通信網を介してサービス提供サーバ２００に接続して映像自叙伝の製作を要請すれば（ステップＳ１１）、前記サービス提供サーバ２００はユーザ端末１００にユーザ情報資料の入力を要請する（ステップＳ１２）。このとき、要請するユーザ情報資料は、身上情報、日記をはじめとする文句、写真、映像、音楽などを含む。
【００４９】
ステップＳ１２後に、前記ユーザ端末１００がユーザにより入力されたユーザ情報資料を前記サービス提供サーバに伝送すれば（ステップＳ１３）、前記サービス提供サーバ２００は、ユーザ情報資料を時代別に格納されたコンテンツＤＢ２５０とマッチングさせて映像自叙伝製作資料を選別した後（ステップＳ１５）、映像自叙伝を生成する（ステップＳ１６）。
【００５０】
前記ステップＳ１５及びステップＳ１６について具体的に説明すると、前記サービス提供サーバ２００は、ユーザ情報資料のうち身上情報を用いて前記コンテンツＤＢ２５０に含まれている人物ＤＢ２５１と優先的にマッチングさせる（ステップＳ２１）。
【００５１】
これにより、人物ＤＢ２５１とのマッチングが行われた場合、前記サービス提供サーバ２００はコンテンツＤＢ２５０のうち記事ＤＢ２５２、写真ＤＢ２５３、映像ＤＢ２５４、音楽ＤＢ２５５から当該ユーザと関連する資料を自動的に選別する（ステップＳ２２ａ）。次いで、前記サービス提供サーバ２００は、ユーザ情報資料に対するファイル生成日及びキーワードを取り出し（ステップＳ２３ａ）、選別された記事ＤＢ２５２、写真ＤＢ２５３、映像ＤＢ２５４、音楽ＤＢ２５５から前記ファイル生成日及びキーワードとマッチング（ステップＳ２４ａ）される資料を映像自叙伝製作資料として選別する（ステップＳ２５）。
【００５２】
また、前記人物ＤＢ２５１とのマッチングが行われていない場合、前記サービス提供サーバ２００は、ユーザ情報資料に対するファイル生成日及びキーワードを取り出し（ステップＳ２３ｂ）、コンテンツＤＢ２５０に含まれている記事ＤＢ２５２、写真ＤＢ２５３、映像ＤＢ２５４、音楽ＤＢ２５５から前記ファイル生成日及びキーワードとマッチング（ステップＳ２４ｂ）される資料を映像自叙伝製作資料として選別する（ステップＳ２５）。
【００５３】
ステップＳ２５後に、前記サービス提供サーバ２００は、前記選別された映像自叙伝製作資料を時代順に並べた後（ステップＳ２６）、これに基づいて映像自叙伝を生成する（ステップＳ２７）。
【００５４】
前記サービス提供サーバ２００は、製作された映像自叙伝を移動式格納媒体３００であるＵＳＢメモリに伝送し（ステップＳ１７）、前記移動式格納媒体３００は、映像自叙伝にＤＲＭ情報を結合した後に（ステップＳ１８）、これを映像自叙伝格納モジュール３２０に格納する（ステップＳ１９）。
【００５５】
上述したように、本発明による映像自叙伝サービス提供方法及びシステムは、ユーザにより映像自叙伝の製作のために入力されたユーザ情報資料を時代別に格納されたコンテンツＤＢ２５０とマッチングさせて映像自叙伝製作資料を選別するが、ユーザが提供した資料があまりない場合であっても、時代別に豊富でありながらも事実的な資料を構築することができ、ユーザがどのような時代にどのような意図をもって当該資料を残したかが把握可能な映像自叙伝を製作することができる。
【００５６】
さらに、本発明は、自叙伝を冊子ではなく映像として製作するが、これを大勢の人々に配布しやすく、これを見る者も文字で接する場合よりも手軽にユーザの一代記を把握することができる。
【００５７】
本発明はまた、コンピュータにて読み取り可能な記録媒体にコンピュータにて読み取り可能なコードとして実現することが可能である。コンピュータにて読み取り可能な記録媒体は、コンピュータシステムにより読み取られるデータが格納されるあらゆる種類の記録装置を含む。
【００５８】
コンピュータにて読み取り可能な記録媒体の例としては、ＲＯＭ、ＲＡＭ、ＣＤ−ＲＯＭ、磁気テープ、フロッピーディスク、光データ格納装置などが挙げられ、且つ、キャリアウェーブ（例えば、インターネットを介した伝送）の形式として実現されるものも含む。
【００５９】
また、コンピュータにて読み取り可能な記録媒体は、ネットワークを介して接続されたコンピュータシステムに分散されて、分散方式によりコンピュータにて読み取り可能なコードが格納されて起動され得る。また、本発明を実現するための機能的なプログラム、コード及びコードセグメントは、本発明が属する技術分野のプログラマにより容易に推論され得る。
【符号の説明】
【００６０】
１００：ユーザ端末         
２００：サービス提供サーバ
２１０：入出力モジュール                 
２２０：資料分析モジュール
２３０：資料マッチングモジュール                      
２４０：自叙伝映像生成モジュール
２５０：コンテンツＤＢ                   
２５１：人物ＤＢ
２５２：記事ＤＢ           
２５３：写真ＤＢ
２５４：映像ＤＢ           
２５５：音楽ＤＢ
３００：移動式格納媒体     
３１０：ＤＲＭ結合モジュール
３１１：ＤＲＭ情報生成部   
３１２：ＤＲＭ情報変換部
３１３：ＤＲＭ情報合成部   
３２０：映像自叙伝格納モジュール
【図１】
2016115326.tif 000003
【図２】
2016115326.tif 000004
【図３】
2016115326.tif 000005
【図４】
2016115326.tif 000006
【図５】
2016115326.tif 000007